(57)【要約】【課題】  限られた筐体のサイズであっても、より広い表示面積のディスプレイを実現できる電子機器搭載用ディスプレイを提供する。【解決手段】  上側筐体２０の厚さ方向に伸縮可能な蛇腹部５０を介して上側筐体２０の正面に備えられている。第１のディスプレイ部４１と、第１のディスプレイ部４１から下向きに引き出し可能に第１のディスプレイ部４１に重畳格納される第２のディスプレイ部４２とを有している。蛇腹部５０を伸ばした状態で第１のディスプレイ部４１から第２のディスプレイ部４２を引き出すようになっている。【選択図】  図１
2008191398.tif 000002
【特許請求の範囲】
【請求項１】
下側筐体と、該下側筐体にヒンジ部を介して開閉可能に取り付けられた上側筐体とを有する電子機器の該上側筐体に搭載される電子機器搭載用ディスプレイにおいて、
前記上側筐体の厚さ方向に伸縮可能な蛇腹部を介して該上側筐体の正面に備えられ、
第１のディスプレイ部と、該第１のディスプレイ部から下向きに引き出し可能に該第１のディスプレイ部に重畳格納される第２のディスプレイ部とを有し、
前記蛇腹部を伸ばした状態で前記第１のディスプレイ部から前記第２のディスプレイ部を引き出すようになっていることを特徴とする電子機器搭載用ディスプレイ。
【請求項２】
前記第１のディスプレイ部から左右に引き出し可能に該第１のディスプレイ部に重畳格納される第３および第４のディスプレイ部をさらに有し、
前記蛇腹部を伸ばした状態で前記第１のディスプレイ部から前記第３および前記第４のディスプレイ部を引き出すようになっている請求項１に記載の電子機器搭載用ディスプレイ。
【請求項３】
前記第１のディスプレイ部から上向きに引き出し可能に該第１のディスプレイ部に重畳格納される第５のディスプレイ部をさらに有し、
前記蛇腹部を伸ばした状態で前記第１のディスプレイ部から前記第５のディスプレイ部を引き出すようになっている請求項１または２に記載の電子機器搭載用ディスプレイ。
【請求項４】
前記第１のディスプレイ部から左右に引き出し可能に該第１のディスプレイ部に重畳格納される第３および第４のディスプレイ部と、前記第１のディスプレイ部から上向きに引き出し可能に該第１のディスプレイ部に重畳格納される第５のディスプレイ部と、前記第２のディスプレイ部から左または右に引き出し可能に該第２のディスプレイ部に重畳格納される第６のディスプレイ部と、前記第３のディスプレイ部から上向きまたは下向きに引き出し可能に該第３のディスプレイ部に重畳格納される第７のディスプレイ部と、前記第４のディスプレイ部から下向きまたは上向きに引き出し可能に該第４のディスプレイ部に重畳格納される第８のディスプレイ部と、前記第５のディスプレイ部から右または左に引き出し可能に該第５のディスプレイ部に重畳格納される第９のディスプレイ部とをさらに有し、
前記蛇腹部を伸ばした後に前記第１のディスプレイ部から前記第２乃至前記第５のディスプレイ部を引き出した状態で、さらに前記第６乃至前記第９のディスプレイ部を引き出すようになっている請求項１に記載の電子機器搭載用ディスプレイ。
【請求項５】
前記ディスプレイが有するディスプレイ部のうちの少なくとも１つには、スピーカが備えられており、
前記スピーカは、ディスプレイ部の表示領域外に内蔵されたボイスコイル式または圧電素子式の駆動源と、該駆動源に結合された振動板とを有し、該振動板は、ディスプレイ部の透明保護パネルによって構成されている請求項１乃至４のいずれか１つに記載の電子機器搭載用ディスプレイ。
【請求項６】
前記スピーカは、前記第３および前記第４のディスプレイ部それぞれに備えられており、ステレオ音声を出力可能である請求項５に記載の電子機器搭載用ディスプレイ。
【請求項７】
前記スピーカとして、さらにウーファを備えており、該ウーファは、前記上側筐体の前記厚さ方向において最も奥に重畳されるディスプレイ部の裏側に設けられており、
伸ばされた前記蛇腹部は、前記ウーファのエンクロージャとして機能する請求項５または６に記載の電子機器搭載用ディスプレイ。
【請求項８】
前記電子機器は、電波の送受信の少なくとも一方をなすものであり、
前記ディスプレイが有するディスプレイ部のうちの少なくとも１つには、アンテナが備えられており、
前記アンテナは、ディスプレイ部の透明保護パネルに形成された金属細線および／または透明金属細線によって構成されている請求項１乃至７のいずれか１つに記載の電子機器搭載用ディスプレイ。
【請求項９】
前記アンテナは、前記第５のディスプレイ部に備えられている請求項８に記載の電子機器搭載用ディスプレイ。
【請求項１０】
前記アンテナは、エクステンション部を備えており、該エクステンション部は、前記蛇腹部の内側面に形成された金属線または金属膜パターンによって構成されている請求項８または９に記載の電子機器搭載用ディスプレイ。
【請求項１１】
前記下側筐体と、前記上側筐体と、請求項１乃至１０のいずれか１つに記載の前記電子機器搭載用ディスプレイとを有することを特徴とする電子機器。
【請求項１２】
前記下側筐体の正面のうちの引き出された前記第２のディスプレイ部に隠される領域外に、電子機器を操作するための操作ボタンが設けられている請求項１１に記載の電子機器。
【発明の詳細な説明】
【技術分野】
【０００１】
本発明は、ディスプレイを備えた携帯電話機等の電子機器に関する。
【背景技術】
【０００２】
近年、携帯電話機は、通話以外に、インターネットホームページの閲覧、電子メール、デジタルテレビ放送の受信、ストリーミング放送やメディアに格納される動画の閲覧、テレビ電話、ルートナビゲーション、アプリケーションゲーム、内蔵デジタルカメラでの撮影等、多くの機能を有しており、これらの機能の多くは、ディスプレイによる表示を伴うものである。また、マルチタスクな動作をする携帯電話機も多くあり、複数機能をシームレスに実行できることが望ましい。このため、より多くの情報を表示できるように、ディスプレイの表示面積の増大化が望まれている。
【０００３】
一方、携帯電話機は小型軽量であることが望まれるため、筐体に搭載されるディスプレイは、その大きさに制限がある。
【０００４】
限られた筐体のサイズであっても広い表示面積のディスプレイを実現すべく、例えば、特許文献１、２には、プライマリディスプレイ部から格納可能に引き出されるセカンダリディスプレイ部を有する携帯型パーソナルコンピュータが開示されている。
【０００５】
【特許文献１】実開平５−５９５１７号公報
【特許文献２】特開２００１−１７５３６０号公報（特許第３５７１６３５号）
【発明の開示】
【発明が解決しようとする課題】
【０００６】
本発明の課題は、限られた筐体のサイズであっても、特許文献１、２に記載されたもの以上に、より広い表示面積のディスプレイを実現できる電子機器搭載用ディスプレイを提供することである。
【０００７】
本発明の他の課題は、上記のような電子機器搭載用ディスプレイを有する電子機器を提供することである。
【課題を解決するための手段】
【０００８】
本発明によれば、下側筐体と、該下側筐体にヒンジ部を介して開閉可能に取り付けられた上側筐体とを有する電子機器の該上側筐体に搭載される電子機器搭載用ディスプレイにおいて、前記上側筐体の厚さ方向に伸縮可能な蛇腹部を介して該上側筐体の正面に備えられ、第１のディスプレイ部と、該第１のディスプレイ部から下向きに引き出し可能に重畳格納される第２のディスプレイ部とを有し、前記蛇腹部を伸ばした状態で前記第１のディスプレイ部から前記第２のディスプレイ部を引き出すようになっていることを特徴とする電子機器搭載用ディスプレイが得られる。
【０００９】
尚、前記第１のディスプレイ部から左右に引き出し可能に該第１のディスプレイ部に重畳格納される第３および第４のディスプレイ部をさらに有し、前記蛇腹部を伸ばした状態で前記第１のディスプレイ部から前記第３および前記第４のディスプレイ部を引き出すようになっていてもよい。また、前記第１のディスプレイ部から上向きに引き出し可能に該第１のディスプレイ部に重畳格納される第５のディスプレイ部をさらに有し、前記蛇腹部を伸ばした状態で前記第１のディスプレイ部から前記第５のディスプレイ部を引き出すようになっていてもよい。あるいは、前記第１のディスプレイ部から左右に引き出し可能に該第１のディスプレイ部に重畳格納される第３および第４のディスプレイ部と、前記第１のディスプレイ部から上向きに引き出し可能に該第１のディスプレイ部に重畳格納される第５のディスプレイ部と、前記第２のディスプレイ部から左または右に引き出し可能に該第２のディスプレイ部に重畳格納される第６のディスプレイ部と、前記第３のディスプレイ部から上向きまたは下向きに引き出し可能に該第３のディスプレイ部に重畳格納される第７のディスプレイ部と、前記第４のディスプレイ部から下向きまたは上向きに引き出し可能に該第４のディスプレイ部に重畳格納される第８のディスプレイ部と、前記第５のディスプレイ部から右または左に引き出し可能に該第５のディスプレイ部に重畳格納される第９のディスプレイ部とをさらに有し、前記蛇腹部を伸ばした後に前記第１のディスプレイ部から前記第２乃至前記第５のディスプレイ部を引き出した状態で、さらに前記第６乃至前記第９のディスプレイ部を引き出すようになっていてもよい。
【００１０】
また、前記ディスプレイが有するディスプレイ部のうちの少なくとも１つには、スピーカが備えられており、前記スピーカは、ディスプレイ部の表示領域外に内蔵されたボイスコイル式または圧電素子式の駆動源と、該駆動源に結合された振動板とを有し、該振動板は、ディスプレイ部の透明保護パネルによって構成されていてもよい。前記スピーカは、前記第３および前記第４のディスプレイ部それぞれに備えられており、ステレオ音声を出力可能であってもよい。前記スピーカとして、さらにウーファを備えており、該ウーファは、前記上側筐体の前記厚さ方向において最も奥に重畳されるディスプレイ部の裏側に設けられており、伸ばされた前記蛇腹部は、前記ウーファのエンクロージャとして機能するものであってもよい。
【００１１】
さらに、前記電子機器は、電波の送受信の少なくとも一方をなすものであり、前記ディスプレイが有するディスプレイ部のうちの少なくとも１つには、アンテナが備えられており、前記アンテナは、ディスプレイ部の透明保護パネルに形成された金属細線および／または透明金属細線によって構成されていてもよい。前記アンテナは、前記第５のディスプレイ部に備えられていてもよい。前記アンテナは、エクステンション部を備えており、該エクステンション部は、前記蛇腹部の内側面に形成された金属線または金属膜パターンによって構成されていてもよい。
【００１２】
本発明によればまた、前記下側筐体と、前記上側筐体と、前記電子機器搭載用ディスプレイとを有することを特徴とする電子機器が得られる。前記下側筐体の正面のうちの引き出された前記第２のディスプレイ部に隠される領域外に、電子機器を操作するための操作ボタンが設けられていてもよい。
【発明の効果】
【００１３】
本発明による電子機器は、限られた筐体のサイズであっても、従来例以上に、より広い表示面積のディスプレイを実現できる。
【発明を実施するための最良の形態】
【００１４】
以下、本発明について、説明する。
【００１５】
本発明による電子機器搭載用ディスプレイは、下側筐体と、下側筐体にヒンジ部を介して開閉可能に取り付けられた上側筐体とを有する折畳式携帯電話機等の電子機器の上側筐体に搭載されるものである。
【００１６】
本電子機器搭載用ディスプレイの基本構成は、上側筐体の厚さ方向に伸縮可能な蛇腹部を介して上側筐体の正面に備えられ、第１のディスプレイ部と、第１のディスプレイ部から下向きに引き出し可能に重畳格納される第２のディスプレイ部とを有している。そして、蛇腹部を伸ばした状態で第１のディスプレイ部から第２のディスプレイ部を引き出すようになっている。
【００１７】
このような構成により、本電子機器搭載用ディスプレイは、特に下側および上側筐体を折り畳んだ際には、従前同様の筐体サイズでありながら、第２のディスプレイ部が第１のディスプレイ部の左右や上にしか引き出されることがなかった従来の引き出し式ディスプレイに比べ、デッドゾーンとなっていた第１のディスプレイ部の下側に第２のディスプレイ部を展開するため、より広い表示面積のディスプレイを実現できる。
【００１８】
さらに、蛇腹部の内側面上に印刷導電パターン等の各種配線を形成したり、蛇腹部の内側の空間にフレキシブルプリンテッドケーブル（ＦＰＣ）等の各種配線を収容することができ、コンパクトな筐体サイズの実現に寄与する。さらには、蛇腹部の内側の空間を、スピーカのエンクロージャや、デジタルカメラ部の望遠レンズ鏡筒や、ホーンアンテナ等の立体構造のアンテナを構成する空間などとして用いることができ、ディスプレイ以外の電子機器の各種機能をコンパクトな筐体で実現できる。
【実施例】
【００１９】
以下、図面を参照して、本発明の実施例による電子機器について説明する。
【００２０】
［実施例１］
図１（ａ）〜（ｃ）を参照すると、本発明の実施例１による電子機器としての携帯電話機は、下側筐体１０と、下側筐体１０にヒンジ部３０を介して開閉可能に取り付けられた上側筐体２０とを有している。電子機器の上側筐体２０には、本発明の実施例１による電子機器搭載用ディスプレイとしてのディスプレイ４０が備えられている。尚、図１（ａ）〜（ｃ）は、説明の便宜上、各部の形状、寸法、角度などは概念的に描かれており、必ずしも正確なものではない。
【００２１】
図１（ａ）〜（ｃ）ならびに図２（ａ）および（ｂ）を参照すると、ディスプレイ４０は、上側筐体２０の厚さ方向（矢印ｍ４１方向）に伸縮可能な蛇腹部５０を介して上側筐体２０の正面に備えられており、第１のディスプレイ部４１と、第１のディスプレイ部４１から下向き（矢印ｍ４２方向）に引き出し可能に第１のディスプレイ部４１に重畳格納される第２のディスプレイ部４２と、第１のディスプレイ部４１から左右（矢印ｍ４３、ｍ４４方向）に引き出し可能に第１および第２のディスプレイ部４１および４２に重畳格納される第３および第４のディスプレイ部４３および４４と、第１のディスプレイ部４１から上向き（矢印ｍ４５方向）に引き出し可能に第１〜第４のディスプレイ部４１〜４５に重畳格納される第５のディスプレイ部４５とを有している。本例では、第１〜第５のディスプレイ部４１〜４５は、この順番で厚さ方向の手前から奥に向かって重畳格納される。
【００２２】
各ディスプレイ部は、本携帯電話機の筐体に内蔵されている制御回路基板に対し、ＦＰＣによって直接配線されるか、あるいは、蛇腹部５０の内側面上に印刷形成等された導電パターンによって第１のディスプレイ部４１の裏側に配線し、そこから第２〜第５のディスプレイ部４２〜４５に中継的に配線されている。これらの配線手段は勿論、蛇腹部５０の伸縮や各ディスプレイ部の出し入れによって断線することのないように、マージンが確保されている。
【００２３】
そして、ディスプレイ４０は、第１ディスプレイ部４１が上側筐体２０の正面とフラットな状態（図示せず）から、まず、図１（ａ）から図１（ｂ）にかけて示されるように、蛇腹部５０を矢印ｍ４１方向に伸ばし、次いで、図２（ａ）に示される各ディスプレイ部が格納された状態から、図１（ｃ）および図２（ｂ）に示されるように、第１のディスプレイ部４１から第２〜第５のディスプレイ部４２〜４５を引き出すことで、第１のディスプレイ部４１のみによる表示面積のおよそ５倍の表示面積の状態に移行する。尚、第２〜第５のディスプレイ部４２〜４５は、常時全てを引き出す必要はなく、任意のディスプレイ部のみ引き出して表示させることができる。勿論、第１のディスプレイ部４１のみを使用するモードもある。
【００２４】
蛇腹部５０については、第１〜第２のディスプレイ部４１〜４５による重さや応力に抗して縮退時および伸張時それぞれの状態を保てるように、その内部に、ラッチ機能付きのパンタグラフ状のフレームを設けるか、伸張両状態のときにロックされるようにラッチ機構を設けることが好ましい。あるいは、蛇腹部５０自体に伸張両状態を維持するように、形状記憶的な組織構造を設けてもよい。尚、蛇腹部５０は、ディスプレイ４０裏側や上側筐体２０の内部に対する防塵効果をも奏する。
【００２５】
各ディスプレイ部の引き出し構造については、例えば、後述するラックとローラまたは歯車との組み合わせを用いた構造とすることができる。そして、図２（ａ）に示されるように各ディスプレイ部の格納時に僅かに突出している部分を手動で引き出すか、ラックとローラまたは歯車との組み合わせに加えて各ディスプレイ部を展開方向に付勢可能なバネ（図示せず）を用い、格納されている各ディスプレイ部の露出した端部を指先で押すことによって収納状態を保つためのロックが解除され、バネの力で各ディスプレイ部が飛び出るプッシュオープン式としてもよい。
【００２６】
また、各ディスプレイ部の引き出し構造については、伸縮型スライドレール（図示せず）を用いた構造とし、手動で引き出すか、伸縮スライドレールに加えて各ディスプレイ部を展開方向に付勢可能なバネを用い、プッシュオープン式としてもよい。
【００２７】
もしくは、上記ローラまたは歯車に携帯電話機のバイブレータに用いられるもの程度の小型の回転モータを駆動源として設けたり、あるいは、リニアモータや圧電素子などを用いた電動式としてもよい。
【００２８】
図４は、ラックとローラとの組み合わせによるディスプレイ部の引き出し構造の一例を示す図である。図４を参照すると、第５のディスプレイ部４５の両サイドには、このディスプレイ部の展開／収納方向に延びるラック４５２が設けられている。一方、第１のディスプレイ部４１には、ラック４５２に対応したローラ４１２が設けられている。ラックとローラとの組み合わせによって、第５のディスプレイ部４５は、第１のディスプレイ部４１に対して安定して展開／収容の平行移動が可能である。図４中の符号４５３は、第５のディスプレイ部４５が過剰に引き出されてしまうことを防止するストッパを示している。
【００２９】
尚、図４においては、第５のディスプレイ部４５の引き出し構造についてのみ示されているが、第２〜第４のディスプレイ部４２〜４４の引き出し構造も同様に構成される。また、ローラ４１２に代えて歯車としてもよい。さらに、ローラまたは歯車に駆動源として回転モータを設け、電動式としてもよい。
【００３０】
各ディスプレイ部の引き出し方式を電動式とした場合には、携帯電話機の使用状態や、マルチタスクのタスクの数や種類に応じて必要なディスプレイ部のみが蛇腹部５０の伸張と共に自動的になされるように、携帯電話機の制御部のプログラムを組んでもよい。
【００３１】
逆に、手動展開式の場合には、ユーザが引き出したディスプレイ部による表示に見合った携帯電話機の機能に自動的に切り替わるように、携帯電話機の制御部のプログラムを組んでもよい。
【００３２】
また、少なくとも第２および第５のディスプレイ部４２および４５など、それらを格納せずに蛇腹部５０を縮退すると下側筐体１０や上側筐体２０に衝突してしまうディスプレイ部に関しては、このようなディスプレイ部を縮退させない限りは蛇腹部５０を縮退できないように、電磁ロックや機械式ロックを蛇腹部５０内部に設けることが好ましい。
【００３３】
尚、本例において、各ディスプレイ部は、バックライトを備えた薄型のアクティブマトリクスＴＦＴカラー液晶ディスプレイである。しかし、本発明においては、これに限定されるものではなく、ディスプレイ部毎に想定される表示内容等に応じた詳細度、カラーかモノクロか、表示素子の仕様、バックライトの有無、透過型、半透過型、または非透過型かなどが選定される。また、透明保護パネルにタッチパネル機能を持たせてもよい。手前に重畳格納されるディスプレイ部を透過型とした場合には、重畳格納時に複数のディスプレイ部を重畳表示させることで、立体画像を表示させるようにしてもよい。
【００３４】
また、第２のディスプレイ部４２を引き出した場合、下側筐体１０の正面の一部が第２のディスプレイ部４２に隠されることになるため、この種の携帯電話機において通常下側筐体１０に備えられるテンキーやカーソルキー等の操作ボタン類（図示せず）は、第２のディスプレイ部４２に隠される領域外に、設けられる。また、通話時には、上側筐体２０の上端に設けられた通話用スピーカ（図示せず）にユーザが耳を当てることになるため、通話時には、各ディスプレイ部の展開や蛇腹部５０の伸張はしないものとする。
【００３５】
［実施例２］
本発明の実施例２は、引き出されるディスプレイ部の数量が実施例１と異なっている。このため、それ以外の共通点については、説明を省略する。
【００３６】
図３を参照すると、本発明の実施例２による電子機器搭載用ディスプレイとしてのディスプレイ４０’は、上側筐体（図示せず）の厚さ方向に伸縮可能な蛇腹部（図示せず）を介して上側筐体の正面に備えられており、第１のディスプレイ部４１と、第１のディスプレイ部４１から下向き（矢印ｍ４２方向）に引き出し可能に第１のディスプレイ部４１に重畳格納される第２のディスプレイ部４２と、第１のディスプレイ部４１から左右（矢印ｍ４３、ｍ４４方向）に引き出し可能に第１および第２のディスプレイ部４２に重畳格納される第３および第４のディスプレイ部４３および４４と、第１のディスプレイ部４１から上向き（矢印ｍ４５方向）に引き出し可能に第１〜第４のディスプレイ部４１〜４４に重畳格納される第５のディスプレイ部４５と、第２のディスプレイ部４２から左（矢印ｍ４６方向）に引き出し可能に第２のディスプレイ部４２に重畳格納される第６のディスプレイ部４６と、第３のディスプレイ部４３から上向き（矢印ｍ４７方向）に引き出し可能に第３のディスプレイ部４３に重畳格納される第７のディスプレイ部４７と、第４のディスプレイ部４４から下向き（矢印ｍ４８方向）に引き出し可能に第４のディスプレイ部４４に重畳格納される第８のディスプレイ部４８と、第５のディスプレイ部４５から右（矢印ｍ４９方向）に引き出し可能に第５のディスプレイ部４５に重畳格納される第９のディスプレイ部４９とを有している。
【００３７】
そして、蛇腹部を伸ばした後に第１のディスプレイ部４１から第２〜第５のディスプレイ部４２〜４５を引き出した状態で、さらに第６〜第９のディスプレイ部４６〜４９を引き出すようになっている。これにより、第１のディスプレイ部４１のみによる表示面積のおよそ９倍の表示面積の状態に移行する。尚、第２〜第９のディスプレイ部４２〜４９は、常時全てを引き出す必要はなく、任意のディスプレイ部のみ引き出して表示させることができる。
【００３８】
［実施例３］
本発明の実施例３は、通話用スピーカとは別にスピーカを有している点で実施例１とは異なっている。このため、それ以外の共通点については、説明を省略する。
【００３９】
図示はしないが、本発明の実施例３による電子機器としての携帯電話機において、ディスプレイが有するディスプレイ部のうちの少なくとも１つには、スピーカが備えられている。
【００４０】
スピーカは、ディスプレイ部の表示領域外に内蔵されたボイスコイル式または圧電素子式の駆動源と、駆動源に結合された振動板とを有している。振動板は、ディスプレイ部の透明保護パネルによって構成されている。
【００４１】
スピーカを第１のディスプレイ部の左右に引き出される第３および第４のディスプレイ部それぞれに備えた場合には、ステレオ音声を出力可能である。
【００４２】
また、本発明の実施例３においては、スピーカとして、さらにウーファを備えている。
【００４３】
ウーファは、上側筐体の厚さ方向において最も奥に重畳されるディスプレイ部の裏側に設けられる。そして、伸ばされた蛇腹部は、ウーファのエンクロージャとして機能する。
【００４４】
［実施例４］
本発明の実施例４は、特別な位置にアンテナを有している点に特徴がある。このため、それ以外の実施例１との共通点については、説明を省略する。
【００４５】
図示はしないが、本発明の実施例４による電子機器としての携帯電話機は、電波の送受信をなすものであり、ディスプレイが有するディスプレイ部のうちの少なくとも１つに、アンテナを備えておいる。
【００４６】
アンテナは、ディスプレイ部の透明保護パネルに形成された金属細線および／または透明金属細線によって構成される。
【００４７】
アンテナは、第１のディスプレイ部の上向きに引き出される第５のディスプレイ部に備えられていてもよい。この場合、アンテナの配置点が高くなるため、電波の送受信効果向上が期待できる。
【００４８】
また、アンテナは、エクステンション部を備えており、このエクステンション部は、蛇腹部の内側面に形成された金属線または金属膜パターンによって構成されている。これにより、蛇腹部が伸ばされた場合に、長いアンテナ長を確保することができる。
【００４９】
［実施例５］
本発明の実施例５は、蛇腹部内に特別なアンテナを有している点に特徴がある。このため、それ以外の実施例１との共通点については、説明を省略する。
【００５０】
図示はしないが、本発明の実施例５による電子機器としての携帯電話機は、蛇腹部内に、立体構造のアンテナとして、ホーンアンテナを有している。
【００５１】
ホーンアンテナは、蛇腹部の内側面に印刷形成された導電パターンや、伸ばされた蛇腹部内において四角錘等のホーン状に展開するように配備したＦＰＣなどによって構成される。
【００５２】
［実施例６］
本発明の実施例６は、特別なレンズ構造のデジタルカメラ部を内蔵している点に特徴がある。このため、それ以外の実施例１との共通点については、説明を省略する。
【００５３】
図示はしないが、本発明の実施例６による電子機器としての携帯電話機は、デジタルカメラ部を有している。デジタルカメラのＣＣＤまたはＣＭＯＳ等の受像素子は、上側筐体の厚さ方向において最も奥に重畳格納されるディスプレイ部の裏側もしくは第１のディスプレイ部の裏側に設けられている。一方、対物レンズは、上側筐体の背面に設けられている。さらに、受像素子と対物レンズとの間には、更なる小型の蛇腹もしくは、伸縮可能な円筒部材（鏡筒）が配置され、その中に中間レンズが取り付けられている。尚、受光素子、中間レンズ、および対物レンズは、蛇腹部を伸縮しても光軸がズレることのないような策をとるべきである。このような構造により、蛇腹部を伸ばした際に、レンズや受像素子間の距離をかなり大きく確保できるため、高い倍率の望遠レンズを構成することが可能である。
【産業上の利用可能性】
【００５４】
以上説明した実施例に限定されることなく、本発明は、当該特許請求の範囲に記載された技術範囲内であれば、種々の変形が可能であることは云うまでもない。例えば、本発明は、携帯電話機に限らず、ノートブック型パーソナルコンピュータ、ＰＤＡ、携帯型デジタルテレビ放送の受像機、携帯型メディアプレーヤ、携帯型ルートナビゲーション装置、携帯型ゲーム機等であってもよい。
【図面の簡単な説明】
【００５５】
【図１】本発明の実施例１による電子機器搭載用ディスプレイを有する電子機器としての携帯電話機の左斜視図であり、（ａ）は蛇腹部を伸ばしつつある状態を示し、（ｂ）は蛇腹部を伸ばし切った状態を示し、（ｃ）は引き出し可能な各ディスプレイ部を引き出した状態を示す。
【図２】図１に示した携帯電話機のディスプレイのみを示した斜視図であり、（ａ）は引き出し可能な各ディスプレイ部を重畳格納した状態を示し、（ｂ）は引き出し可能な各ディスプレイ部を引き出した状態を示す。
【図３】本発明の実施例２による電子機器搭載用ディスプレイの引き出し可能な各ディスプレイ部を引き出した状態を示す正面図である。
【図４】本発明の実施例１による電子機器搭載用ディスプレイにおけるディスプレイ部の引き出し構造の一例を示す図である。
【符号の説明】
【００５６】
１０  下側筐体
２０  上側筐体
３０  ヒンジ部
４０  ディスプレイ
４１２  ローラ
４５２  ラック
４５３  ストッパ
５０  蛇腹部
【図１】
2008191398.tif 000003
【図２】
2008191398.tif 000004
【図３】
2008191398.tif 000005
【図４】
2008191398.tif 000006